(57)【要約】【課題】ユーザが調理装置を操作することによって空気環境を調整することができる空気環境調整装置を提供する。【解決手段】空気環境調整装置３は、調整空気生成部と、受信部３０４と、制御部３０６とを備える。調整空気生成部は、空気環境を調整する調整空気を生成する。受信部３０４は、食材を調理する調理装置２から、調理レシピに属する情報を受信する。制御部３０６は、調理レシピに属する情報に基づいて調整空気生成部の動作を制御する。【選択図】図１
2019190738.tif 000002
【特許請求の範囲】
【請求項１】
空気環境を調整する調整空気を生成する調整空気生成部と、
食材を調理する調理装置から、調理レシピに属する情報を受信する受信部と、
前記調理レシピに属する情報に基づいて前記調整空気生成部の動作を制御する制御部と
を備える空気環境調整装置。
【請求項２】
前記調理レシピに属する情報は、前記調理装置による調理が終了するタイミングを示す調理終了タイミング情報を含み、
前記制御部は、前記調理が終了するタイミングで前記調整空気生成部の動作を制御するか、又は、前記調理が終了するタイミングよりも所定の時間前のタイミングで前記調整空気生成部の動作を制御する、請求項１に記載の空気環境調整装置。
【請求項３】
前記調理レシピに属する情報は、前記調理装置が前記食材を調理する際に前記食材から臭いが発生するタイミングを示す臭い情報を含み、
前記制御部は、前記臭いが発生するタイミングで前記調整空気生成部の動作を制御するか、又は、前記臭いが発生するタイミングよりも所定の時間前のタイミングで前記調整空気生成部の動作を制御する、請求項１又は請求項２に記載の空気環境調整装置。
【請求項４】
前記臭い情報は、前記臭いのレベルを示す情報を含み、
前記制御部は、前記臭いのレベルに基づいて前記調整空気生成部の動作を制御する、請求項３に記載の空気環境調整装置。
【請求項５】
前記調整空気生成部は、臭いの原因因子を除去する消臭成分、又は、細菌を殺菌する殺菌成分を生成する、請求項１から請求項４のいずれか１項に記載の空気環境調整装置。
【請求項６】
前記調理レシピに属する情報は、前記調理装置から蒸気が排出されるタイミングを示す蒸気排出タイミング情報を含み、
前記制御部は、前記蒸気が排出されるタイミングで前記調整空気生成部の動作を制御するか、又は、前記蒸気が排出されるタイミングよりも所定の時間前のタイミングで前記調整空気生成部の動作を制御する、請求項１又は請求項２に記載の空気環境調整装置。
【請求項７】
前記調理レシピに属する情報は、前記食材から熱が発生するタイミングを示す熱発生タイミング情報を含み、
前記制御部は、前記熱が発生するタイミングで前記調整空気生成部の動作を制御するか、又は、前記熱が発生するタイミングよりも所定の時間前のタイミングで前記調整空気生成部の動作を制御する、請求項１又は請求項２に記載の空気環境調整装置。
【請求項８】
前記受信部は、前記調理装置から、前記調理装置が備える開閉カバー部材が開いたことを示す開情報を受信し、
前記制御部は、前記開情報に基づいて、前記調整空気生成部の動作を制御する、請求項１から請求項７のいずれか１項に記載の空気環境調整装置。
【請求項９】
調理装置と、空気環境調整装置とを備える空気環境調整システムであって、
前記調理装置は、
食材の調理を行う調理部と、
前記空気環境調整装置へ、調理レシピに属する情報を送信する送信部と、
前記調理部及び前記送信部を制御する制御部と
を備え、
前記空気環境調整装置は、
空気環境を調整する調整空気を生成する調整空気生成部と、
前記調理レシピに属する情報を受信する受信部と、
前記調理レシピに属する情報に基づいて前記調整空気生成部の動作を制御する制御部と
を備える、空気環境調整システム。
【請求項１０】
食材の調理を行う調理部と、
空気環境を調整する空気環境調整装置へ、調理レシピに属する情報を送信する送信部と、
前記調理部及び前記送信部を制御する制御部と
を備える調理装置。
【請求項１１】
前記制御部は、前記調理部が前記調理を開始すると、前記調理レシピに属する情報を前記送信部に送信させる、請求項１０に記載の調理装置。
【請求項１２】
前記調理部を収容する筐体と、
前記筐体に対して開閉する開閉カバー部材と、
前記開閉カバー部材が開いたことを検知する検知センサと
を更に備え、
前記制御部は、前記検知センサの検知結果に基づき、前記開閉カバー部材が開いたことを示す開情報を前記送信部に送信させる、請求項１０又は請求項１１に記載の調理装置。
【発明の詳細な説明】
【技術分野】
【０００１】
本発明は、空気環境調整装置、空気環境調整システム、及び調理装置に関する。
【背景技術】
【０００２】
調理の種類に応じて、換気扇及び空気清浄装置のうちの少なくとも一方を動作させる空調システムが知られている（例えば、特許文献１参照）。特許文献１の空調システムは、携帯電話と、換気扇と、空気清浄装置とを備える。特許文献１の携帯電話は、表示部を有し、表示部に、調理メニューを選択させる画面を表示させる。特許文献１の携帯電話は、調理メニューが選択されると、換気扇及び空気清浄装置のうちの少なくとも一方を動作させる。
【先行技術文献】
【特許文献】
【０００３】
【特許文献１】特開２０１５−０１０７３５号公報
【発明の概要】
【発明が解決しようとする課題】
【０００４】
しかしながら、特許文献１の空調システムによれば、ユーザは、空気環境を調整するために、調理装置を操作した上で、携帯電話を更に操作する必要がある。
【０００５】
本発明は上記課題に鑑みてなされたものであり、その目的は、ユーザが調理装置を操作することによって空気環境を調整することができる空気環境調整装置、空気環境調整システム、及び調理装置を提供することにある。
【課題を解決するための手段】
【０００６】
本発明の空気環境調整装置は、調整空気生成部と、受信部と、制御部とを備える。前記調整空気生成部は、空気環境を調整する調整空気を生成する。前記受信部は、食材を調理する調理装置から、調理レシピに属する情報を受信する。前記制御部は、前記調理レシピに属する情報に基づいて前記調整空気生成部の動作を制御する。
【０００７】
本発明の空気環境調整システムは、調理装置と、空気環境調整装置とを備える。前記調理装置は、調理部と、送信部と、制御部とを備える。前記調理部は、食材の調理を行う。前記送信部は、前記空気環境調整装置へ、調理レシピに属する情報を送信する。前記制御部は、前記調理部及び前記送信部を制御する。前記空気環境調整装置は、調整空気生成部と、受信部と、制御部とを備える。前記調整空気生成部は、空気環境を調整する調整空気を生成する。前記受信部は、前記調理レシピに属する情報を受信する。前記制御部は、前記調理レシピに属する情報に基づいて前記調整空気生成部の動作を制御する。
【０００８】
本発明の調理装置は、調理部と、送信部と、制御部とを備える。前記調理部は、食材の調理を行う。前記送信部は、空気環境を調整する空気環境調整装置へ、調理レシピに属する情報を送信する。前記制御部は、前記調理部及び前記送信部を制御する。
【発明の効果】
【０００９】
本発明によれば、ユーザが調理装置を操作することによって空気環境を調整することができる。
【図面の簡単な説明】
【００１０】
【図１】本発明の実施形態１に係る空気環境調整システムを示す図である。
【図２】本発明の実施形態１に係る調理装置を示す斜視図である。
【図３】本発明の実施形態１に係る調理装置の構成を示す図である。
【図４】本発明の実施形態１に係る調理装置の構成を示すブロック図である。
【図５】本発明の実施形態１に係る空気清浄装置を示す斜視図である。
【図６】本発明の実施形態１に係る空気清浄装置の構成を示すブロック図である。
【図７】本発明の実施形態１に係る空気清浄装置の動作を示すフローチャートである。
【図８】本発明の実施形態１に係る空気清浄装置の動作を示すフローチャートである。
【図９】本発明の実施形態１に係る空気清浄装置の動作を示すフローチャートである。
【図１０】本発明の実施形態１に係る空気清浄装置の動作を示すフローチャートである。
【図１１】本発明の実施形態２に係る空気清浄装置の動作を示すフローチャートである。
【図１２】本発明の実施形態３に係る空気環境調整システムを示す図である。
【図１３】本発明の実施形態３に係る空気清浄装置の動作を示すフローチャートである。
【図１４】本発明の実施形態３に係る調湿装置を示す斜視図である。
【図１５】本発明の実施形態３に係る調湿装置の構成を示す図である。
【図１６】本発明の実施形態３に係る調湿装置の構成を示すブロック図である。
【図１７】本発明の実施形態３に係る調湿装置の動作を示すフローチャートである。
【図１８】本発明の実施形態３に係る空気調和装置を示す斜視図である。
【図１９】本発明の実施形態３に係る空気調和装置の構成を示すブロック図である。
【図２０】本発明の実施形態３に係る空気調和装置の動作を示すフローチャートである。
【図２１】本発明の他の実施形態に係る空気清浄装置を示す斜視図である。
【図２２】本発明の他の実施形態に係る空気清浄装置の構成を示す図である。
【発明を実施するための形態】
【００１１】
以下、図面を参照して本発明の実施形態を説明する。但し、本発明は以下の実施形態に限定されない。なお、説明が重複する箇所については、適宜説明を省略する場合がある。また、図中、同一又は相当部分については同一の参照符号を付して説明を繰り返さない。
【００１２】
［実施形態１］
まず、図１を参照して、本実施形態の空気環境調整システム１を説明する。図１は、本実施形態に係る空気環境調整システム１を示す図である。図１に示すように、本実施形態の空気環境調整システム１は、調理装置２と、空気清浄装置３とを備える。調理装置２は、食材を調理する。本実施形態において、空気清浄装置３は、消臭装置として機能する。具体的には、空気清浄装置３は、空気環境から臭いの原因因子を除去する。空気清浄装置３（消臭装置）は、空気環境調整装置の一例である。
【００１３】
続いて図２〜図４を参照して、本実施形態の調理装置２を説明する。図２は、本実施形態に係る調理装置２を示す斜視図である。本実施形態において、調理装置２は、スチームオーブンレンジである。図２に示すように、調理装置２は、直方体形状のケーシング２１と、扉２２と、ハンドル２３と、耐熱ガラス２４と、操作パネル２５と、排気ダクト２８とを備える。
【００１４】
ケーシング２１は、筐体の一例であり、扉２２は、開閉カバー部材の一例である。ケーシング２１は、正面に開口を有する。扉２２は、ケーシング２１の正面に取り付けられる。扉２２は、ケーシング２１に対して開閉自在である。扉２２が閉じることにより、ケーシング２１の開口が閉塞され、扉２２が開くことにより、ケーシング２１の開口が露出する。本実施形態において、扉２２は、ケーシング２１の正面の下端側の辺を中心に回動する。ハンドル２３は、扉２２の上部に取り付けられる。ユーザは、ハンドル２３を操作して、扉２２をケーシング２１に対して開閉させることができる。耐熱ガラス２４は、扉２２の略中央に取り付けられる。
【００１５】
操作パネル２５は、表示部２６と、ボタン群２７とを有する。表示部２６は、調理レシピを表示する。本実施形態において、表示部２６はタッチディスプレイであり、ユーザの操作を受け付ける。タッチディスプレイは、液晶ディスプレイ又は有機ＥＬ（ｅｌｅｃｔｒｏｌｕｍｉｎｅｓｃｅｎｃｅ）ディスプレイのようなディスプレイ装置と、ディスプレイ装置の表示面に配置されたタッチセンサとを有する。タッチセンサは、例えば静電容量方式のタッチセンサ又は抵抗膜方式のタッチセンサである。ユーザは、タッチディスプレイを操作して、表示部２６に表示させる調理レシピを変更することができる。
【００１６】
ボタン群２７は、スタートキーを含む。ユーザは、スタートキーを押下することにより、調理装置２に対して調理の開始を指示することができる。調理装置２は、スタートキーが押下されると、表示部２６に表示されている調理レシピに対応する調理動作を実行する。
【００１７】
排気ダクト２８は、ケーシング２１の上部の右後部分に配置される。排気ダクト２８は、ケーシング２１内で発生した蒸気を排出する。
【００１８】
続いて図３を参照して、本実施形態の調理部を説明する。図３は、本実施形態に係る調理装置２の構成を示す図である。図３に示すように、調理装置２は、加熱庫２１０と、水タンク２２０と、蒸気発生装置２３０と、蒸気供給管２４０と、蒸気導入室２５０と、循環ユニット２６０と、蒸気ダクト２７０と、過熱蒸気生成ヒータ２８０と、マグネトロン２９０と、回転アンテナ２９１と、回転アンテナ用モータ２９２とを備える。本実施形態において、食材を調理する調理部は、水タンク２２０と、蒸気発生装置２３０と、蒸気供給管２４０と、蒸気導入室２５０と、循環ユニット２６０と、蒸気ダクト２７０と、過熱蒸気生成ヒータ２８０と、マグネトロン２９０と、回転アンテナ２９１と、回転アンテナ用モータ２９２とを含む。本実施形態の調理部は、加熱調理部である。調理部は、図１を参照して説明したケーシング２１に収容される。
【００１９】
加熱庫２１０は、収容部の一例である。加熱庫２１０は、食材Ｆを収容する。ユーザは、図１を参照して説明した扉２２を開けて、加熱庫２１０内に食材Ｆを収容した後、図１を参照して説明した扉２２を閉める。図２は、トレイＴ上の網Ｎに載置された食材Ｆを例示している。
【００２０】
加熱庫２１０は、吸込口２１１と、第１蒸気吹出口２１２と、第２蒸気吹出口２１３とを有する。吸込口２１１は、加熱庫２１０の右側壁に形成される。吸込口２１１は、加熱庫２１０の内部空間と蒸気導入室２５０とを連通させる。第１蒸気吹出口２１２は、加熱庫２１０の上側壁に形成される。第１蒸気吹出口２１２は、加熱庫２１０の内部空間と蒸気ダクト２７０とを連通させる。第２蒸気吹出口２１３は、加熱庫２１０の左側壁に形成される。第２蒸気吹出口２１３は、加熱庫２１０の内部空間と蒸気ダクト２７０とを連通させる。
【００２１】
水タンク２２０は、水を収容する。蒸気発生装置２３０は、水タンク２２０を加熱して飽和水蒸気を生成する。飽和水蒸気は、蒸気供給管２４０を介して蒸気導入室２５０に供給される。蒸気導入室２５０は、加熱庫２１０の右側面に隣接する。
【００２２】
循環ユニット２６０は、蒸気吸込口２６１と、循環ファン２６２と、循環ファン用モータ２６３と、蒸気供給口２６４とを有する。
【００２３】
蒸気吸込口２６１は、循環ユニット２６０の内部空間と蒸気導入室２５０とを連通させる。循環ファン２６２は、循環ユニット２６０内に配置される。循環ファン用モータ２６３は循環ファン２６２を回転させる。蒸気供給口２６４は、蒸気ダクト２７０の端部と連通接続する。循環ファン２６２が回転することにより、蒸気導入室２５０に供給された飽和水蒸気が蒸気吸込口２６１から循環ユニット２６０内に吸引され、循環ユニット２６０内に吸引された飽和水蒸気が、蒸気供給口２６４を介して蒸気ダクト２７０に供給される。
【００２４】
蒸気ダクト２７０は、第１ダクト部２７１と、屈曲部２７２と、第２ダクト部２７３とを有する。蒸気供給口２６４は、第１ダクト部２７１の右側端と連通接続する。第１ダクト部２７１は、加熱庫２１０の上側面に固定される。第１ダクト部２７１は、第１蒸気吹出口２１２を介して、加熱庫２１０の内部空間と連通する。屈曲部２７２は、加熱庫２１０の左上隅に配置され、加熱庫２１０の上側面から加熱庫２１０の左側面にかけて延びる。第１ダクト部２７１の左側端は屈曲部２７２の右側端と接続する。
【００２５】
第２ダクト部２７３は、加熱庫２１０の左側面に固定される。第２ダクト部２７３は、第２蒸気吹出口２１３を介して、加熱庫２１０の内部空間と連通する。第２ダクト部２７３の上側端は屈曲部２７２の下側端と接続する。
【００２６】
過熱蒸気生成ヒータ２８０は第１ダクト部２７１内に収容される。過熱蒸気生成ヒータ２８０は、第１ダクト部２７１に供給された飽和水蒸気を加熱して、過熱蒸気を生成する。過熱蒸気は、１００℃を超える過熱状態にまで加熱された蒸気である。過熱蒸気の一部は、第１ダクト部２７１から第１蒸気吹出口２１２を介して加熱庫２１０の内部空間に供給される。過熱蒸気の他の一部は、第２ダクト部２７３から第２蒸気吹出口２１３を介して加熱庫２１０の内部空間に供給される。
【００２７】
加熱庫２１０の内部空間に供給された過熱蒸気は、食材Ｆを加熱する。また、加熱庫２１０の内部空間に供給された過熱蒸気は、循環ファン２６２の回転により、吸込口２１１を介して蒸気導入室２５０へ吸い込まれる。蒸気導入室２５０へ吸い込まれた過熱蒸気は、循環ファン２６２の回転により、循環ユニット２６０を介して蒸気ダクト２７０へ供給された後、再度、加熱庫２１０の内部空間に供給される。
【００２８】
マグネトロン２９０及び回転アンテナ用モータ２９２は、ケーシング２１の下部に設けられる。マグネトロン２９０はマイクロ波を発生する。マイクロ波は、導波管によって加熱庫２１０の下部中央に導かれる。回転アンテナ２９１は、加熱庫２１０の下部に設けられる。回転アンテナ用モータ２９２は、回転アンテナ２９１を回転させる。回転アンテナ２９１が回転することにより、マイクロ波が撹拌されながら加熱庫２１０内を上方に向かって放射される。この結果、食材Ｆが加熱される。
【００２９】
以上、図３を参照して本実施形態の調理部について説明した。本実施形態の調理部によれば、例えば、食材Ｆを焼く、食材Ｆを蒸す、食材Ｆを煮る、又は食材Ｆを温めることができる。具体的には、調理装置２は、食材Ｆを焼く際に過熱蒸気を生成する。また、調理装置２は、食材Ｆを蒸す、食材Ｆを煮る、又は食材Ｆを温める際に、マグネトロン２９０からマイクロ波を発生させる。あるいは、調理装置２は、食材Ｆを蒸す、食材Ｆを煮る、又は食材Ｆを温める際に、非過熱蒸気を生成する。非過熱蒸気は、蒸気発生装置２３０が生成する飽和水蒸気である。したがって、非過熱蒸気を用いて食材Ｆを調理する際に、過熱蒸気生成ヒータ２８０は駆動しない。また、非過熱蒸気を用いて食材Ｆを調理する際に、循環ファン用モータ２６３は駆動しない。換言すると、循環ファン２６２は回転しない。
【００３０】
続いて図４を参照して、本実施形態の調理装置２を更に説明する。図４は、本実施形態に係る調理装置２の構成を示すブロック図である。図４に示すように、調理装置２は、制御部２０１と、扉開閉検知センサ２０２と、送信部２０３とを更に備える。
【００３１】
制御部２０１は、例えばＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）のようなプロセッサを備える。また、制御部２０１は、制御プログラムを記憶する記憶部を備える。記憶部は、例えばＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）のような半導体メモリを有する。記憶部は、ＨＤＤ（Ｈａｒｄ  Ｄｉｓｋ  Ｄｒｉｖｅ）のようなストレージデバイスを更に有してもよい。プロセッサは、記憶部に記憶された制御プログラムを実行して、調理装置２の各部の動作を制御する。制御部２０１は、例えばマイクロコンピュータである。
【００３２】
制御部２０１の記憶部は、複数の調理レシピを記憶する。調理レシピは、食材Ｆの調理方法を示す情報を含む。調理方法は、例えば、「食材Ｆを焼く」、「食材Ｆを蒸す」、「食材Ｆを煮る」、又は「食材Ｆを温める」のいずれかを示す。また、調理レシピは、加熱プロファイルの情報、及び調理終了タイミング情報を含む。加熱プロファイルは、加熱温度の推移と、加熱時間とを示す。調理終了タイミング情報は、調理装置２による調理動作が終了するタイミングである調理終了タイミングを示す。具体的には、調理終了タイミング情報は、調理時間を示す。調理時間は、調理開始から調理終了までにかかる時間である。なお、加熱温度の推移は、一定温度を示す場合がある。この場合、加熱温度は、所定の時間、一定の温度で推移する。
【００３３】
制御部２０１は、表示部２６に調理レシピを表示させる。具体的には、制御部２０１は、食材Ｆの調理方法及び調理時間を表示部２６に表示させる。また、制御部２０１は、表示部２６（タッチディスプレイ）に対するユーザの操作を検知する。例えば、制御部２０１は、ユーザの操作に応じて、表示部２６に表示させる調理レシピを変更する。
【００３４】
制御部２０１は、ボタン群２７に対するユーザの操作を検知する。例えば、制御部２０１は、ボタン群２７に含まれるスタートキーの押下を検知すると、表示部２６に表示されている調理レシピに基づいて、調理部の動作を制御する。詳しくは、制御部２０１は、表示部２６に表示されている調理レシピに対応する調理方法及び加熱プロファイルに基づいて、蒸気発生装置２３０、過熱蒸気生成ヒータ２８０、マグネトロン２９０、循環ファン用モータ２６３、及び回転アンテナ用モータ２９２の動作を制御する。
【００３５】
本実施形態において、制御部２０１の記憶部は、調理レシピごとに、臭い情報を記憶する。臭い情報は、調理装置２が食材Ｆを調理する際に発生する臭いのレベルを示す。
【００３６】
具体的には、臭い情報は、調理終了時点において食材Ｆから発生する臭いのレベルを示す。臭いのレベルは、例えば、「弱」、「中」、又は「強」である。以下、調理終了時点において発生する臭いのレベルを「調理終了時の臭いレベル」と記載する場合がある。また、調理終了時の臭いレベルを示す情報を「調理終了時臭いレベル情報」と記載する場合がある。
【００３７】
調理レシピが、調理中に臭気濃度の高い臭いを発生させる調理方法を示す場合、臭い情報は、臭気濃度の高い臭いが発生するタイミングである第１タイミング（臭い発生タイミング）と、第１タイミングで発生する臭いのレベルとを更に示す。調理レシピが、調理の途中で臭気濃度が低くなる調理方法を示す場合、臭い情報は、臭気濃度が低くなるタイミングである第２タイミング（臭いレベル低下タイミング）と、第２タイミングで発生する臭いのレベルとを更に示す。なお、臭い情報は、複数の第１タイミングを示す場合がある。同様に、臭い情報は、複数の第２タイミングを示す場合がある。
【００３８】
以下、第１タイミングで発生する臭いのレベルを「第１臭いレベル」と記載し、第２タイミングで発生する臭いのレベルを「第２臭いレベル」と記載する場合がある。また、第１タイミングと、第１臭いレベルとを示す情報を「第１タイミング情報」と記載し、第２タイミングと、第２臭いレベルとを示す情報を「第２タイミング情報」と記載する場合がある。なお、第２臭いレベルを示す情報は、省略されてもよい。
【００３９】
臭い情報は、制御部３０６の記憶部に、調理レシピに関連付けられて予め記憶されている。あるいは、臭い情報は、ユーザが操作パネル２５を操作することにより、制御部３０６の記憶部に、調理レシピに関連付けられて記憶される。
【００４０】
扉開閉検知センサ２０２は、図２を参照して説明した扉２２の開閉を検知する。扉開閉検知センサ２０２は、例えば光学式センサである。扉開閉検知センサ２０２は、扉２２が開状態であることを示す信号、又は扉２２が閉状態であることを示す信号の少なくとも一方を出力する。
【００４１】
送信部２０３は、例えばＬＡＮボード（Ｌｏｃａｌ  Ａｒｅａ  Ｎｅｔｗｏｒｋ）又は無線ＬＡＮボードを有する。送信部２０３は、インターネット回線に接続し、クラウドサーバーのような外部のサーバーを介して、図１を参照して説明した空気清浄装置３と通信可能に接続する。制御部２０１は、調理装置２の調理部が食材Ｆの調理を開始すると、送信部２０３に調理レシピに属する情報を送信させる。例えば、制御部２０１は、ボタン群２７に含まれるスタートキーの押下を検知すると、送信部２０３に調理レシピに関する情報を送信させる。本実施形態において、調理レシピに属する情報は、調理終了タイミング情報と臭い情報とを含む。
【００４２】
本実施形態の送信部２０３は更に、扉２２が開いたことを示す扉開情報を空気清浄装置３へ送信する。具体的には、制御部２０１は、扉開閉検知センサ２０２の検知結果に基づいて扉２２が開いたことを検知すると、扉開情報を送信部２０３に送信させる。
【００４３】
以上、図２〜図４を参照して本実施形態の調理装置２を説明した。続いて図５〜図１０を参照して、本実施形態の空気清浄装置３を説明する。図５は、本実施形態に係る空気清浄装置３を示す斜視図である。
【００４４】
本実施形態の空気清浄装置３は、照明機能を有し、例えば天井に設置される。図５に示すように、空気清浄装置３は、ケース３１と、アダプタ３２と、口金３３と、空気清浄フィルタ３４とを備える。
【００４５】
ケース３１は、略円筒形状を有し、軸方向の両端が開口している。ケース３１の下側端の開口は吹出口３５として機能する。ケース３１の上側端はアダプタ３２の下側端と接続する。
【００４６】
また、ケース３１は吸気口３６を有する。吸気口３６は、ケース３１の側壁部に形成される。詳しくは、吸気口３６は、ケース３１の周方向の全周にわたって形成される。空気清浄フィルタ３４は、吸気口３６の内面側に着脱可能に取り付けられる。吸気口３６は、ケース３１の内側空間を介して吹出口３５と連通する。換言すると、ケース３１内に、吸気口３６と吹出口３５とを連通する通風路が形成される。
【００４７】
口金３３は、アダプタ３２の上側端に設けられる。口金３３は、例えば天井に設けられたソケットに取り付けられる。この結果、空気清浄装置３にソケットを介して電力が供給される。
【００４８】
続いて図６を参照して、空気清浄装置３を更に説明する。図６は、本実施形態に係る空気清浄装置３の構成を示すブロック図である。図６に示すように、空気清浄装置３は、送風機３０１と、イオン発生器３０２と、照明部３０３と、受信部３０４と、タイマ３０５と、制御部３０６とを備える。送風機３０１及びイオン発生器３０２は、調整空気を生成する調整空気生成部を構成する。
【００４９】
送風機３０１、イオン発生器３０２、及び照明部３０３は、図１を参照して説明したケース３１内に収容される。詳しくは、送風機３０１、イオン発生器３０２、及び照明部３０３は、図１を参照して説明したケース３１内の通風路に配置される。
【００５０】
送風機３０１は、通風路に風を発生させる。具体的には、送風機３０１が駆動することにより、図１を参照して説明した吸気口３６からケース３１内に空気が吸い込まれる。ケース３１内に吸い込まれた空気は、通風路を通過して、図１を参照して説明した吹出口３５から吹き出す。送風機３０１は、例えば軸流ファン、遠心ファン又は貫流ファンのような風を発生させる装置である。
【００５１】
イオン発生器３０２は、消臭成分生成部の一例である。本実施形態のイオン発生器３０２は、臭いの原因因子を除去する消臭成分として、プラスイオンＨ+（Ｈ2Ｏ）ｍ（ｍは任意の自然数）及びマイナスイオンＯ2-（Ｈ2Ｏ）ｎ（ｎは任意の自然数）を生成する。これらのイオンは、通風路を流れる空気中に放出される。この結果、イオン発生器３０２から発生したイオンが、図１を参照して説明した吹出口３５から空気清浄装置３（ケース３１）の外部へ放出される。なお、プラスイオンＨ+（Ｈ2Ｏ）ｍ及びマイナスイオンＯ2-（Ｈ2Ｏ）ｎを含む風は、空気環境を調整する調整空気の一例である。
【００５２】
具体的には、イオン発生器３０２は、２組の放電電極と誘導電極とを備える。また、イオン発生器３０２は、高電圧発生回路を備える。高電圧発生回路は、放電電極及び誘導電極の各組に高電圧を印加する。放電電極及び誘導電極の各組に高電圧が印加されると、各組の両電極間に生じる放電により、プラスイオンＨ+（Ｈ2Ｏ）ｍ及びマイナスイオンＯ2-（Ｈ2Ｏ）ｎが生成される。
【００５３】
プラスイオンＨ+（Ｈ2Ｏ）ｍ及びマイナスイオンＯ2-（Ｈ2Ｏ）ｎは、空気中に浮遊する細菌を殺菌する効果や、空気中に浮遊する臭いの原因因子を分解して消臭する効果を有する。したがって、プラスイオンＨ+（Ｈ2Ｏ）ｍ及びマイナスイオンＯ2-（Ｈ2Ｏ）ｎが空気清浄装置３（ケース３１）の外部へ放出されることにより、空気環境から臭いの原因因子を除去することができる。
【００５４】
照明部３０３は、図１を参照して説明した吹出口３５付近、換言すると通風路の出口付近に配置される。照明部３０３は、ＬＥＤ（Ｌｉｇｈｔ  Ｅｍｉｔｔｉｎｇ  Ｄｉｏｄｅ）のような発光素子を含む。発光素子が発光することにより、空気清浄装置３の下方の領域が照らされる。
【００５５】
受信部３０４は、例えばＬＡＮボード又は無線ＬＡＮボードを有する。受信部３０４は、インターネット回線に接続し、クラウドサーバーのような外部のサーバーを介して、図１〜図４を参照して説明した調理装置２と通信可能に接続する。受信部３０４は、調理装置２から調理レシピに属する情報を受信する。本実施形態において、受信部３０４は、調理終了タイミング情報及び臭い情報を受信する。
【００５６】
タイマ３０５は、受信部３０４が調理レシピに属する情報を受信すると、計時を開始する。
【００５７】
制御部３０６は、例えばＣＰＵ又はＭＰＵのようなプロセッサを備える。また、制御部３０６は、制御プログラムを記憶する記憶部を備える。記憶部は、例えばＲＡＭ、及びＲＯＭのような半導体メモリを有する。プロセッサは、記憶部に記憶された制御プログラムを実行して、空気清浄装置３の各部の動作を制御する。制御部３０６は、例えばマイクロコンピュータである。
【００５８】
制御部３０６は、受信部３０４が調理レシピに属する情報を受信すると、記憶部に調理レシピに属する情報を記憶させて、タイマ３０５を作動させる。また、制御部３０６は、記憶部に記憶した調理レシピに属する情報に基づいて、送風機３０１及びイオン発生器３０２の動作を制御する。
【００５９】
詳しくは、本実施形態の空気清浄装置３は、複数の運転モードを有する。具体的には、空気清浄装置３は、運転停止モード、送風量「弱」モード、送風量「中」モード、及び送風量「強」モードを有する。運転モードが運転停止モードである場合、空気清浄装置３は、送風機３０１及びイオン発生器３０２が動作していない状態となる。運転モードが、送風量「弱」モード、送風量「中」モード、及び送風量「強」モードのいずれかである場合、空気清浄装置３は、空気清浄運転を実行する。具体的には、制御部３０６が、送風機３０１及びイオン発生器３０２を動作させる。
【００６０】
運転モードが送風量「弱」モードである場合、制御部３０６は、送風機３０１による送風量を「弱」に設定する。運転モードが送風量「中」モードである場合、制御部３０６は、送風機３０１による送風量を「中」に設定する。運転モードが送風量「強」モードである場合、制御部３０６は、送風機３０１による送風量を「強」に設定する。送風量「強」モードにおける送風量は、送風量「中」モードにおける送風量よりも多く、送風量「中」モードにおける送風量は、送風量「弱」モードにおける送風量よりも多い。
【００６１】
制御部３０６は、調理レシピに属する情報に含まれる臭い情報に基づいて、送風機３０１の送風量を調整する。具体的には、臭いのレベルが「強」である場合、制御部３０６は、送風量「強」モードで送風機３０１を動作させる。臭いのレベルが「中」である場合、制御部３０６は、送風量「中」モードで送風機３０１を動作させる。臭いのレベルが「弱」である場合、制御部３０６は、送風量「弱」モードで送風機３０１を動作させる。
【００６２】
より具体的には、制御部３０６は、調理終了タイミング情報及び調理終了時臭いレベル情報を参照し、タイマ３０５のカウンタ値が調理終了タイミングに達すると、調理終了時の臭いレベルに対応する運転モードで送風機３０１を動作させる。
【００６３】
また、制御部３０６は、受信部３０４が第１タイミング情報を受信した場合、記憶部に記憶した第１タイミング情報を参照し、タイマ３０５のカウンタ値が第１タイミング（臭い発生タイミング）に達すると、第１臭いレベルに対応する運転モードで送風機３０１を動作させる。
【００６４】
また、制御部３０６は、受信部３０４が第２タイミング情報を受信した場合、記憶部に記憶した第２タイミング情報を参照し、タイマ３０５のカウンタ値が第２タイミング（臭いレベル低下タイミング）に達すると、第２臭いレベルに対応する運転モードで送風機３０１を動作させる。なお、第２タイミング情報が第２臭いレベルを示さない場合、制御部３０６は、第１タイミング前の運転モードで送風機３０１を動作させる。第１タイミング前の運転モードが運転停止モードである場合、制御部３０６は、送風機３０１の動作を停止させる。
【００６５】
続いて図６〜図１０を参照して空気清浄装置３の動作を説明する。図７〜図１０は、本実施形態に係る空気清浄装置３の動作を示すフローチャートである。詳しくは、図７〜図１０は、空気清浄装置３の制御部３０６によって実行される処理を示す。図７〜図１０に示す処理は、受信部３０４が調理レシピに属する情報を受信すると開始される。
【００６６】
図７に示すように、受信部３０４が調理レシピに属する情報を受信すると、制御部３０６は、受信部３０４が受信した調理レシピに属する情報を記憶して（ステップＳ１）、タイマ３０５に計時動作を開始させる（ステップＳ２）。
【００６７】
制御部３０６は、タイマ３０５に計時動作を開始させると、受信部３０４が第１タイミング情報を受信したか否かを判定する（ステップＳ３）。具体的には、制御部３０６は、記憶部に第１タイミング情報が記憶されているか否かを判定する。換言すると、制御部３０６は、受信した調理レシピに関する情報に、第１タイミング情報が含まれるか否かを判定する。
【００６８】
制御部３０６は、受信部３０４が第１タイミング情報を受信したと判定すると（ステップＳ３のＹｅｓ）、タイマ３０５のカウンタ値が第１タイミングに達したか否かを判定する（ステップＳ４）。制御部３０６は、タイマ３０５のカウンタ値が第１タイミングに達していないと判定すると（ステップＳ４のＮｏ）、再度、タイマ３０５のカウンタ値が第１タイミングに達したか否かを判定する（ステップＳ４）。
【００６９】
制御部３０６は、タイマ３０５のカウンタ値が第１タイミングに達したと判定すると（ステップＳ４のＹｅｓ）、第１タイミング情報に基づいて空気清浄装置３の運転モードを調整する（ステップＳ５）。具体的には、制御部３０６は、第１臭いレベルに応じて空気清浄装置３の運転モードを調整する。換言すると、制御部３０６は、第１臭いレベルに応じて送風機３０１の送風量を調整する。
【００７０】
より詳しくは、制御部３０６は、第１タイミング前における運転モードの送風量と、第１臭いレベルに対応する運転モードの送風量とを比較する。比較の結果、第１タイミング前における運転モードの送風量が、第１臭いレベルに対応する運転モードの送風量と比べて少ない場合、制御部３０６は、空気清浄装置３の運転モードを第１臭いレベルに対応する運転モードに変更する。第１タイミング前における運転モードの送風量が、第１臭いレベルに対応する運転モードの送風量と同じである場合、制御部３０６は、空気清浄装置３の運転モードを、第１タイミング前における運転モードのまま維持する。第１タイミング前における運転モードの送風量が、第１臭いレベルに対応する運転モードの送風量と比べて多い場合、制御部３０６は、空気清浄装置３の運転モードを第１臭いレベルに対応する運転モードに変更する。あるいは、制御部３０６は、空気清浄装置３の運転モードを、第１タイミング前における運転モードのまま維持する。
【００７１】
制御部３０６は、空気清浄装置３の運転モードを調整すると、図８に示すように、受信部３０４が第２タイミング情報を受信したか否かを判定する（ステップＳ６）。具体的には、制御部３０６は、記憶部に第２タイミング情報が記憶されているか否かを判定する。換言すると、制御部３０６は、受信した調理レシピに属する情報に、第２タイミング情報が含まれるか否かを判定する。
【００７２】
制御部３０６は、受信部３０４が第２タイミング情報を受信したと判定すると（ステップＳ６のＹｅｓ）、タイマ３０５のカウンタ値が第２タイミングに達したか否かを判定する（ステップＳ７）。制御部３０６は、タイマ３０５のカウンタ値が第２タイミングに達していないと判定すると（ステップＳ７のＮｏ）、再度、タイマ３０５のカウンタ値が第２タイミングに達したか否かを判定する（ステップＳ７）。
【００７３】
制御部３０６は、タイマ３０５のカウンタ値が第２タイミングに達したと判定すると（ステップＳ７のＹｅｓ）、第２タイミング情報に基づいて空気清浄装置３の運転モードを調整する（ステップＳ８）。具体的には、制御部３０６は、第２臭いレベルに応じて空気清浄装置３の運転モードを調整する。換言すると、制御部３０６は、第２臭いレベルに応じて送風機３０１の送風量を調整する。
【００７４】
なお、第２タイミング情報が第２臭いレベルを示さない場合、制御部３０６は、第１タイミング前の運転モードと第１タイミング後の運転モードとを比較する。第１タイミング前の運転モードを示す情報は、第１タイミングに達した際に記憶部に記憶される。比較の結果、第１タイミング前の運転モードと第１タイミング後の運転モードとが異なる場合、制御部３０６は、第１タイミング前の運転モードを設定する。第１タイミング前の運転モードと第１タイミング後の運転モードとが同じである場合、制御部３０６は、第１タイミング後の運転モードを維持する。
【００７５】
制御部３０６は、空気清浄装置３の運転モードを調整すると、タイマ３０５のカウンタ値が調理終了タイミングに達したか否かを判定する（ステップＳ９）。あるいは、制御部３０６は、受信部３０４が第１タイミング情報を受信していないと判定すると（図７に示すステップＳ３のＮｏ）、タイマ３０５のカウンタ値が調理終了タイミングに達したか否かを判定する。また、制御部３０６は、受信部３０４が第２タイミング情報を受信していないと判定すると（図８に示すステップＳ６のＮｏ）、タイマ３０５のカウンタ値が調理終了タイミングに達したか否かを判定する。
【００７６】
制御部３０６は、タイマ３０５のカウンタ値が調理終了タイミングに達していないと判定すると（ステップＳ９のＮｏ）、再度、タイマ３０５のカウンタ値が調理終了タイミングに達したか否かを判定する（ステップＳ９）。
【００７７】
制御部３０６は、タイマ３０５のカウンタ値が調理終了タイミングに達したと判定すると（ステップＳ９のＹｅｓ）、調理終了タイミング情報に基づいて空気清浄装置３の運転モードを調整する（ステップＳ１０）。具体的には、制御部３０６は、調理終了時の臭いレベルに応じて空気清浄装置３の運転モードを調整する。換言すると、制御部３０６は、調理終了時の臭いレベルに応じて送風機３０１の送風量を調整する。より詳しくは、第１タイミングでの運転モードの調整と同様に、制御部３０６は、調理終了タイミング前における運転モードの送風量と、調理終了時の臭いレベルに対応する運転モードの送風量とを比較し、比較の結果に基づいて、運転モードを調整する。
【００７８】
制御部３０６は、空気清浄装置３の運転モードを調整すると、タイマ３０５のカウンタ値を参照して、調理終了タイミングから第１所定時間が経過したか否かを判定する（ステップＳ１１）。第１所定時間は、制御部３０６の記憶部に記憶されている。例えば、ユーザが、空気清浄装置３の操作装置を操作して、第１所定時間を設定してもよい。空気清浄装置３の操作装置は、例えばリモートコントローラである。リモートコントローラは、ユーザの操作に対応するコードを示す赤外線を空気清浄装置３へ送信する。第１所定時間は、例えば５分又は１０分である。
【００７９】
制御部３０６は、第１所定時間が経過していないと判定すると（ステップＳ１１のＮｏ）、再度、第１所定時間が経過したか否かを判定する（ステップＳ１１）。
【００８０】
制御部３０６は、第１所定時間が経過したと判定すると（ステップＳ１１のＹｅｓ）、空気清浄装置３の運転モードを調整する（ステップＳ１２）。具体的には、制御部３０６は、空気清浄装置３の運転モードを、受信前運転モードに変更する。受信前運転モードは、受信部３０４が調理レシピに属する情報を受信する前の運転モードである。受信前運転モードを示す情報は、受信部３０４が調理レシピに属する情報を受信した際に記憶部に記憶される。
【００８１】
詳しくは、制御部３０６は、受信前運転モードと調理終了タイミング後の運転モードとを比較する。比較の結果、受信前運転モードと調理終了タイミング後の運転モードとが異なる場合、制御部３０６は、受信前運転モードを設定する。受信前運転モードと調理終了タイミング後の運転モードとが同じである場合、制御部３０６は、調理終了タイミング後の運転モードを維持する。
【００８２】
制御部３０６は、空気清浄装置３の運転モードを調整すると、図９に示すように、扉開情報の受信履歴があるか否かを判定する（ステップＳ１３）。具体的には、制御部３０６は、調理終了タイミングから第１所定時間が経過するまでの間に、受信部３０４が扉開情報を受信したか否かを判定する。換言すると、制御部３０６は、調理終了後にユーザが扉２２を開いたか否かを判定する。
【００８３】
制御部３０６は、扉開情報の受信履歴がないと判定すると（ステップＳ１３のＮｏ）、タイマ３０５のカウンタ値を参照して、調理終了タイミングから第２所定時間が経過したか否かを判定する（ステップＳ１４）。第２所定時間は、制御部３０６の記憶部に記憶されている。例えば、ユーザが、空気清浄装置３の操作装置を操作して、第２所定時間を設定してもよい。第２所定時間は、例えば３０分又は６０分である。
【００８４】
制御部３０６は、第２所定時間が経過していないと判定すると（ステップＳ１４のＮｏ）、再度、第２所定時間が経過したか否かを判定する（ステップＳ１４）。
【００８５】
制御部３０６は、第２所定時間が経過したと判定すると（ステップＳ１４のＹｅｓ）、扉開情報の受信履歴があるか否かを判定する（ステップＳ１５）。具体的には、制御部３０６は、調理終了タイミングから第２所定時間が経過するまでの間に、受信部３０４が扉開情報を受信したか否かを判定する。
【００８６】
制御部３０６は、扉開情報の履歴がないと判定すると（ステップＳ１５のＮｏ）、タイマ３０５による計時動作を終了させる（ステップＳ１６）。この結果、タイマ３０５のカウンタ値は初期値に戻る。
【００８７】
制御部３０６は、タイマ３０５による計時動作を終了させた後、受信部３０４が扉開情報を受信したか否かを判定する（ステップＳ１７）。制御部３０６は、受信部３０４が扉開情報を受信していないと判定すると（ステップＳ１７のＮｏ）、再度、受信部３０４が扉開情報を受信したか否かを判定する（ステップＳ１７）。
【００８８】
制御部３０６は、受信部３０４が扉開情報を受信したと判定すると（ステップＳ１７のＹｅｓ）、図１０に示すように、タイマ３０５に計時動作を開始させる（ステップＳ１８）。
【００８９】
制御部３０６は、タイマ３０５に計時動作を開始させると、調理終了タイミング情報に基づいて空気清浄装置３の運転モードを調整する（ステップＳ１９）。詳しくは、第１タイミングでの運転モードの調整と同様に、制御部３０６は、第２所定時間経過後における運転モードの送風量と、調理終了時の臭いレベルに対応する運転モードの送風量とを比較し、比較の結果に基づいて、運転モードを調整する。
【００９０】
制御部３０６は、空気清浄装置３の運転モードを調整すると、タイマ３０５のカウンタ値を参照して、第１所定時間が経過したか否かを判定する（ステップＳ２０）。
【００９１】
制御部３０６は、第１所定時間が経過していないと判定すると（ステップＳ２０のＮｏ）、再度、第１所定時間が経過したか否かを判定する（ステップＳ２０）。
【００９２】
制御部３０６は、第１所定時間が経過したと判定すると（ステップＳ２０のＹｅｓ）、空気清浄装置３の運転モードを調整する（ステップＳ２１）。具体的には、調理終了タイミング後における運転モードの調整と同様に、制御部３０６は、空気清浄装置３の運転モードを受信前運転モードに変更する。
【００９３】
制御部３０６は、空気清浄装置３の運転モードを調整すると、タイマ３０５による計時動作を終了させて（ステップＳ２２）、図７〜図１０に示す処理を終了する。あるいは、制御部３０６は、調理終了タイミングから第１所定時間が経過するまでの間に、受信部３０４が扉開情報を受信したと判定した場合（図９のステップＳ１３のＹｅｓ）、又は、調理終了タイミングから第２所定時間が経過するまでの間に、受信部３０４が扉開情報を受信したと判定した場合に（図９のステップＳ１５のＹｅｓ）、タイマ３０５による計時動作を終了させて（ステップＳ２２）、図７〜図１０に示す処理を終了する。
【００９４】
以上、図６〜図１０を参照して空気清浄装置３の動作を説明した。なお、図７〜図１０に示す処理では、調理終了タイミングから第２所定時間が経過するまでの間にユーザが扉２２を開いていない場合、運転モードを調整する処理が１回実行されたが、調理終了タイミング後、一定の時間が経過する度に、運転モードを調整する処理が実行されてもよい。
【００９５】
以上、図１〜図１０を参照して本発明の実施形態１を説明した。本実施形態によれば、調理開始時に調理装置２から空気清浄装置３へ送信される所定の情報（調理レシピに属する情報）に基づいて空気清浄装置３の動作が制御される。したがって、ユーザは、調理装置２を操作することにより、空気環境を調整することができる。具体的には、ユーザが調理装置２を操作することにより、調理によって発生する臭いを除去することができる。
【００９６】
また、本実施形態によれば、調理によって発生する臭いのレベルに応じて、空気清浄装置３の運転モードを調整することができる。したがって、調理によって発生する臭いのレベルに対して適切な送風量で消臭を行うことができる。換言すると、調理によって発生する臭いのレベルに対して、空気清浄装置３から送風される風の送風量が多すぎたり、少なすぎたりすることを抑制できる。
【００９７】
また、本実施形態によれば、調理装置２による調理が終了するタイミングで、空気清浄装置３の運転モードを調整することができる。一般的に、ユーザは、調理装置２による調理が終了すると調理装置２の扉２２を開く。調理装置２の扉２２が開くと、調理中に発生した臭いが、調理装置２の加熱庫２１０から空気環境へ漏れ出る。したがって、調理装置２の加熱庫２１０から空気環境へ臭いが漏れ出るタイミングで空気清浄装置３の運転モードを調整することができる。この結果、適切なタイミングで空気環境から臭いを除去することができる。
【００９８】
また、本実施形態によれば、調理中に臭いが発生するタイミングで、空気清浄装置３の運転モードを調整することができる。すなわち、食材又は調理方法によっては、調理装置２の扉２２が閉じている状態であっても、調理中に発生した臭いが調理装置２から空気環境へ漏れ出る可能性がある。したがって、調理中に臭いが発生するタイミングで空気清浄装置３の運転モードを調整することにより、適切なタイミングで空気環境から臭いを除去することができる。
【００９９】
また、本実施形態によれば、調理中に発生した臭いのレベルが、調理の途中で低くなるタイミングで、空気清浄装置３の運転モードを調整することができる。したがって、調理中に調理装置２から空気環境へ漏れ出る臭いのレベルの変化に応じて、適切な送風量で消臭を行うことができる。換言すると、臭いのレベルに対して送風量が多すぎたり、少なすぎたりすることを抑制できる。また、調理中に調理装置２から空気環境へ漏れ出る臭いのレベルが、調理の途中でユーザが気にならないレベルまで低下する場合、空気清浄装置３の動作を停止させることができる。あるいは、調理開始前の運転モードで空気清浄装置３を動作させることができる。
【０１００】
また、本実施形態によれば、調理装置２による調理の終了直後にユーザが扉２２を開かない場合であっても、ユーザが扉２２を開いたタイミングで空気清浄装置３の運転モードを調整することができる。したがって、調理装置２から空気環境へ臭いが漏れ出るタイミングで空気清浄装置３の運転モードを調整して、空気環境から臭いを除去することができる。
【０１０１】
なお、本実施形態では、調理によって発生する臭いのレベルに応じて送風機３０１の送風量を制御したが、調理によって発生する臭いのレベルに応じて、イオン発生器３０２から発生させるイオンの量を制御してもよい。
【０１０２】
また、本実施形態のイオン発生器３０２は、プラスイオンＨ+（Ｈ2Ｏ）ｍ及びマイナスイオンＯ2-（Ｈ2Ｏ）ｎを生成したが、イオン発生器３０２は、臭いの原因因子を除去する消臭成分として、プラスイオンＨ+（Ｈ2Ｏ）ｍ及びマイナスイオンＯ2-（Ｈ2Ｏ）ｎ以外のプラスイオン及びマイナスイオンを生成してもよいし、マイナスイオンのみを生成してもよい。
【０１０３】
また、本実施形態の空気清浄装置３は、イオン発生器３０２を備えたが、イオン発生器３０２は省略されてもよい。この場合、空気清浄フィルタ３４により、空気環境から臭いの原因因子が除去される。具体的には、空気清浄フィルタ３４により、臭いの原因因子が捕獲される。空気清浄フィルタ３４は、臭い除去フィルタの一例であり、例えばＨＥＰＡフィルタ（Ｈｉｇｈ  Ｅｆｆｉｃｉｅｎｃｙ  Ｐａｒｔｉｃｕｌａｔｅ  ＡｉｒＦｉｌｔｅｒ）である。
【０１０４】
また、本実施形態の空気清浄装置３は、調理終了タイミングにおいて運転モードを調整したが、空気清浄装置３は、扉開情報を受信した際にのみ運転モードを調整してもよい。
【０１０５】
［実施形態２］
続いて図１〜図６、及び図１１を参照して本発明の実施形態２について説明する。但し、実施形態１と異なる事項を説明し、実施形態１と同じ事項についての説明は割愛する。実施形態２は、空気清浄装置３の動作が実施形態１と異なる。
【０１０６】
まず図４を参照して、本実施形態の調理装置２について説明する。本実施形態において、調理装置２の制御部２０１は、送信部２０３に調理終了タイミング情報を送信させる。
【０１０７】
続いて図６及び図１１を参照して、空気清浄装置３の動作を説明する。図１１は、本実施形態に係る空気清浄装置３の動作を示すフローチャートである。詳しくは、図１１は、空気清浄装置３の制御部３０６によって実行される処理を示す。図１１に示す処理は、受信部３０４が調理終了タイミング情報（調理レシピに属する情報）を受信すると開始される。
【０１０８】
図１１に示すように、受信部３０４が調理終了タイミング情報を受信すると、制御部３０６は、受信部３０４が受信した調理終了タイミング情報を記憶して（ステップＳ３１）、タイマ３０５に計時動作を開始させる（ステップＳ３２）。
【０１０９】
制御部３０６は、タイマ３０５に計時動作を開始させると、タイマ３０５のカウンタ値が、調理終了タイミングよりも所定の時間前のタイミングに達したか否かを判定する（ステップＳ３３）。所定の時間は、制御部３０６の記憶部に記憶されている。例えば、ユーザが、空気清浄装置３の操作装置を操作して、所定の時間を設定してもよい。所定の時間は、例えば５分又は１０分である。以下、調理終了タイミングよりも所定の時間前のタイミングを「第３タイミング」と記載する場合がある。
【０１１０】
制御部３０６は、タイマ３０５のカウンタ値が第３タイミングに達していないと判定すると（ステップＳ３３のＮｏ）、再度、タイマ３０５のカウンタ値が第３タイミングに達したか否かを判定する（ステップＳ３３）。
【０１１１】
制御部３０６は、タイマ３０５のカウンタ値が第３タイミングに達したと判定すると（ステップＳ３３のＹｅｓ）、空気清浄装置３の運転モードを調整する（ステップＳ３４）。
【０１１２】
具体的には、制御部３０６は、現在の運転モードにおける送風量よりも送風量が多い運転モードを設定する。あるいは、制御部３０６は、所定の運転モードにおける送風量と現在の運転モードにおける送風量とを比較して、送風量が多い方の運転モードを設定する。所定の運転モードは、制御部３０６の記憶部に記憶されている。例えば、ユーザが、空気清浄装置３の操作装置を操作して、所定の運転モードを設定してもよい。
【０１１３】
制御部３０６は、空気清浄装置３の運転モードを調整すると、タイマ３０５のカウンタ値が調理終了タイミングに達したか否かを判定する（ステップＳ３５）。
【０１１４】
制御部３０６は、タイマ３０５のカウンタ値が調理終了タイミングに達していないと判定すると（ステップＳ３５のＮｏ）、再度、タイマ３０５のカウンタ値が調理終了タイミングに達したか否かを判定する（ステップＳ３５）。
【０１１５】
制御部３０６は、タイマ３０５のカウンタ値が調理終タイミングに達したと判定すると（ステップＳ３５のＹｅｓ）、空気清浄装置３の運転モードを調整する（ステップＳ３６）。具体的には、制御部３０６は、空気清浄運転を停止させる。より詳しくは、制御部３０６は、送風機３０１の動作、及びイオン発生器３０２の動作を停止させる。
【０１１６】
制御部３０６は、空気清浄装置３の動作を停止させると、タイマ３０５による計時動作を終了させて（ステップＳ３７）、図１１に示す処理を終了する。
【０１１７】
以上、図１〜図６、及び図１１を参照して本発明の実施形態２について説明した。本実施形態によれば、調理装置２による調理が終了する前に空気環境から臭いを除去することができる。したがって、調理装置２の扉２２をユーザが開いたときに、料理から発生する臭いを際立たせることができる。
【０１１８】
なお、本実施形態では、調理終了タイミングで空気清浄運転を停止させたが、空気清浄装置３は、調理装置２から扉開情報を受信して、調理装置２の扉２２が開いたタイミングで空気清浄運転を停止してもよい。
【０１１９】
［実施形態３］
続いて図２〜図６及び図１２〜図２０を参照して本発明の実施形態３について説明する。但し、実施形態１、２と異なる事項を説明し、実施形態１、２と同じ事項についての説明は割愛する。実施形態３は、空気環境調整システム１が実施形態１、２と異なる。
【０１２０】
まず図１２を参照して、本実施形態の空気環境調整システム１を説明する。図１２は、本実施形態に係る空気環境調整システム１を示す図である。図１２に示すように、本実施形態の空気環境調整システム１は、調理装置２と、空気清浄装置３と、調湿装置４と、空気調和装置５とを備える。本実施形態において、空気清浄装置３は、殺菌装置として機能する。空気清浄装置３、調湿装置４及び空気調和装置５はそれぞれ空気環境調整装置の一例である。
【０１２１】
続いて図４を参照して、本実施形態の調理装置２について説明する。本実施形態において、送信部２０３は、図１１を参照して説明した空気清浄装置３、調湿装置４及び空気調和装置５と通信可能に接続する。
【０１２２】
制御部２０１の記憶部は、調理レシピごとに、蒸気排出タイミング情報と、熱発生タイミング情報とを記憶する。蒸気排出タイミング情報は、調理装置２による調理動作の実行中に、図２を参照して説明した排気ダクト２８から蒸気が排気されるタイミングを示す。以下、排気ダクト２８から蒸気が排気されるタイミングを「蒸気排出タイミング」と記載する。熱発生タイミング情報は、調理装置２が食材Ｆを調理することによって食材Ｆから熱が発生するタイミングを示す。以下、食材Ｆから熱が発生するタイミングを「熱発生タイミング」と記載する。
【０１２３】
制御部２０１は、調理装置２の調理部が食材Ｆの調理を開始すると、送信部２０３を介して、空気清浄装置３に調理終了タイミング情報を送信する。また、制御部２０１は、調理装置２の調理部が食材Ｆの調理を開始すると、送信部２０３を介して、調湿装置４に蒸気排出タイミング情報を送信する。また、制御部２０１は、調理装置２の調理部が食材Ｆの調理を開始すると、送信部２０３を介して、空気調和装置５に熱発生タイミング情報を送信する。
【０１２４】
続いて図６を参照して、本実施形態の空気清浄装置３について説明する。本実施形態において、送風機３０１及びイオン発生器３０２は、調整空気生成部を構成する。また、イオン発生器３０２は、殺菌成分生成部の一例であり、細菌を殺菌する殺菌成分を生成する。
【０１２５】
具体的には、イオン発生器３０２は、細菌を殺菌する殺菌成分として、プラスイオンＨ+（Ｈ2Ｏ）ｍ及びマイナスイオンＯ2-（Ｈ2Ｏ）ｎを生成する。具体的には、実施形態１において説明したように、プラスイオンＨ+（Ｈ2Ｏ）ｍ及びマイナスイオンＯ2-（Ｈ2Ｏ）ｎは、殺菌効果を有する。したがって、プラスイオンＨ+（Ｈ2Ｏ）ｍ及びマイナスイオンＯ2-（Ｈ2Ｏ）ｎが空気清浄装置３の外部へ放出されることにより、空気環境に含まれる細菌を殺菌することができる。なお、プラスイオンＨ+（Ｈ2Ｏ）ｍ及びマイナスイオンＯ2-（Ｈ2Ｏ）ｎを含む風は、空気環境を調整する調整空気の一例である。
【０１２６】
続いて図６及び図１３を参照して空気清浄装置３の動作を説明する。図１３は、本実施形態に係る空気清浄装置３の動作を示すフローチャートである。詳しくは、図１３は、空気清浄装置３の制御部３０６によって実行される処理を示す。図１３に示す処理は、受信部３０４が調理終了タイミング情報（調理レシピに属する情報）を受信すると開始される。
【０１２７】
図１３に示すように、受信部３０４が調理終了タイミング情報を受信すると、制御部３０６は、受信部３０４が受信した調理終了タイミング情報を記憶して（ステップＳ４１）、タイマ３０５に計時動作を開始させる（ステップＳ４２）。
【０１２８】
制御部３０６は、タイマ３０５に計時動作を開始させると、タイマ３０５のカウンタ値が調理終了タイミングに達したか否かを判定する（ステップＳ４３）。
【０１２９】
制御部３０６は、タイマ３０５のカウンタ値が調理終了タイミングに達していないと判定すると（ステップＳ４３のＮｏ）、再度、タイマ３０５のカウンタ値が調理終了タイミングに達したか否かを判定する（ステップＳ４３）。
【０１３０】
制御部３０６は、タイマ３０５のカウンタ値が調理終了タイミングに達したと判定すると（ステップＳ４３のＹｅｓ）、空気清浄装置３の運転モードを調整する（ステップＳ４４）。
【０１３１】
具体的には、制御部３０６は、現在の運転モードにおける送風量よりも送風量が多い運転モードを設定する。あるいは、制御部３０６は、所定の運転モードにおける送風量と現在の運転モードにおける送風量とを比較して、送風量が多い方の運転モードを設定する。所定の運転モードは、制御部３０６の記憶部に記憶されている。例えば、ユーザが、空気清浄装置３の操作装置を操作して、所定の運転モードを設定してもよい。
【０１３２】
制御部３０６は、空気清浄装置３の運転モードを調整すると、タイマ３０５による計時動作を終了させて（ステップＳ４５）、図１３に示す処理を終了する。
【０１３３】
以上、図６及び図１３を参照して空気清浄装置３（殺菌装置）の動作を説明した。本実施形態によれば、調理装置２による調理が終了するタイミングで、空気中に浮遊する細菌を殺菌することができる。したがって、調理装置２の加熱庫２１０から運び出された料理に細菌が付着することを抑制することができる。
【０１３４】
なお、本実施形態では、調理終了タイミングで空気清浄装置３の運転モードを調整したが、空気清浄装置３は、調理装置２から扉開情報を受信して、調理装置２の扉２２が開いたタイミングで運転モードを調整してもよい。
【０１３５】
また、本実施形態では、調理終了タイミングで空気清浄装置３の運転モードを調整したが、調理終了タイミングよりも所定の時間前のタイミングで空気清浄装置３の運転モードを調整してもよい。
【０１３６】
続いて図１４〜図１７を参照して、調湿装置４を説明する。図１４は、本実施形態に係る調湿装置４を示す斜視図である。調湿装置４は、空気に含まれる水分を除湿する除湿機能、及び空気の湿度を高める加湿機能を有する。本実施形態において、調整空気は、除湿された空気と、加湿された空気とを含む。
【０１３７】
図１４に示すように、調湿装置４は、ケーシング４１を備える。ケーシング４１は、吸込口４２と、第１吹出口４３ａと、第２吹出口４３ｂとを有する。吸込口４２は、ケーシング４１の背面に形成されている。第１吹出口４３ａは、ケーシング４１の上面に形成されている。第２吹出口４３ｂは、ケーシング４１の前面上部に形成されている。吸込口４２から吸い込まれた空気は、加湿又は除湿されて、第１吹出口４３ａ及び第２吹出口４３ｂから吹き出される。
【０１３８】
続いて図１５を参照して、調湿装置４について更に説明する。図１５は、調湿装置４の構成を示す図である。図１５に示すように、調湿装置４は、送風機４４、空気清浄フィルタ４５、除湿部４６、及び加湿部４７を備える。送風機４４、空気清浄フィルタ４５、除湿部４６、及び加湿部４７は、ケーシング４１の内部に配置される。本実施形態において、送風機４４、除湿部４６、及び加湿部４７は、調整空気生成部を構成する。
【０１３９】
空気清浄フィルタ４５は、ケーシング４１の背面側に配置される。したがって、吸込口４２を通過した空気は、空気清浄フィルタ４５を介して吸い込まれる。
【０１４０】
送風機４４は、両翼ファン４４１、ファンケース４４２、ファンモータ４４３、及びダクト４４４を備える。両翼ファン４４１は、遠心方向に空気を排出するファンであり、回転することで、中央部分から空気を吸い込むとともに、外周に向かう気流を発生させる。なお、両翼ファン４４１に替えて、ターボファン又は高圧軸流ファンが使用されてもよい。
【０１４１】
両翼ファン４４１は、ファンケース４４２の内部に回転可能に配置されている。ファンケース４４２はダクト４４４と連結しており、両翼ファン４４１の周方向に発生した気流をダクト４４４に向けて吹出す。
【０１４２】
両翼ファン４４１は、ファンモータ４４３の出力軸に取り付けられている。ファンモータ４４３はファンケース４４２に固定されており、ファンモータ４４３が駆動することで、両翼ファン４４１が回転する。ダクト４４４は、両翼ファン４４１の回転によって発生した気流を第１吹出口４３ａ及び第２吹出口４３ｂに導く。
【０１４３】
除湿部４６は、蒸発器４６１及び凝縮器４６２を備える。除湿部４６は、通過する気流を冷却して空気に含まれる水分を結露させることで、空気に含まれる水分を取り除く（除湿する）。具体的には、除湿部４６は、冷凍サイクル装置を含む。冷凍サイクル装置は、冷媒を循環させ、冷媒の相変化を利用して、空気を冷却する。冷凍サイクル装置は、蒸発器４６１、凝縮器４６２、圧縮機、膨張器等を含む。蒸発器４６１及び凝縮器４６２は、熱交換器である。
【０１４４】
除湿部４６は、ケーシング４１の正面側において送風機４４に近接して配置される。ファンケース４４２は、熱交換器側吸気口４４５ａを有しており、送風機４４の駆動により、熱交換器側吸気口４４５ａからファンケース４４２に空気が吸い込まれる。この結果、蒸発器４６１及び凝縮器４６２のフィンの隙間を流れる気流が発生する。
【０１４５】
蒸発器４６１は、気流を冷却し、凝縮器４６２は気流を暖める。この結果、蒸発器４６１において空気中の水分が結露する。凝縮器４６２は、蒸発器４６１で冷やされた気流を高温の冷媒との熱交換で暖める。
【０１４６】
加湿部４７は、加湿ロータ４７１、加湿部モータ４７２、加湿トレイ４７３、及び加湿フィルタ４７４を備える。加湿ロータ４７１は、円筒部を有し、円筒部の内側において加湿フィルタ４７４を保持する。加湿部モータ４７２は加湿ロータ４７１を回転させる。加湿ロータ４７１の下部は、加湿トレイ４７３の内側に配置される。加湿フィルタ４７４は、吸水性を有する。加湿ロータ４７１が回転すると、加湿トレイ４７３に溜まっている水が加湿フィルタ４７４全体行き渡り、加湿フィルタ４７４に水が供給される。具体的には、加湿フィルタ４７４は、無数の微小隙間を有し、毛細管現象によって加湿フィルタ４７４の全体に水が行き渡る。
【０１４７】
加湿部４７は、送風機４４に対して除湿部４６よりも背面側に設けられる。ファンケース４４２は、加湿部側吸気口４４５ｂを有しており、送風機４４の駆動により、加湿部側吸気口４４５ｂからファンケース４４２に空気が吸い込まれる。この結果、加湿ロータ４７１の円筒部の内部を軸方向に流れる気流が発生し、加湿フィルタ４７４から気流に対して水が供給される。すなわち、気流が加湿される。
【０１４８】
続いて図１６を参照して調湿装置４を更に説明する。図１６は、本実施形態に係る調湿装置４の構成を示すブロック図である。図１６に示すように、調湿装置４は、受信部４０１、タイマ４０２、及び制御部４０３を更に備える。
【０１４９】
受信部４０１は、例えばＬＡＮボード又は無線ＬＡＮボードを有する。受信部４０１は、インターネット回線に接続し、クラウドサーバーのような外部のサーバーを介して、図１〜図４を参照して説明した調理装置２と通信可能に接続する。受信部４０１は、調理装置２から調理レシピに属する情報を受信する。本実施形態において、受信部４０１は、蒸気排出タイミング情報を受信する。
【０１５０】
タイマ４０２は、受信部４０１が蒸気排出タイミング情報（調理レシピに属する情報）を受信すると、計時を開始する。
【０１５１】
制御部４０３は、例えばＣＰＵ又はＭＰＵのようなプロセッサを備える。また、制御部４０３は、制御プログラムを記憶する記憶部を備える。記憶部は、例えばＲＡＭ、及びＲＯＭのような半導体メモリを有する。プロセッサは、記憶部に記憶された制御プログラムを実行して、調湿装置４の各部の動作を制御する。制御部４０３は、例えばマイクロコンピュータである。
【０１５２】
本実施形態において、制御部４０３は、受信部４０１が蒸気排出タイミング情報を受信すると、記憶部に蒸気排出タイミング情報を記憶させて、タイマ４０２を作動させる。また、制御部４０３は、記憶部に記憶した蒸気排出タイミング情報に基づいて、送風機４４、除湿部４６、及び加湿部４７の動作を制御する。
【０１５３】
詳しくは、調湿装置４は、複数の運転モードを有する。具体的には、調湿装置４は、運転停止モード、除湿モード、及び加湿モードを有する。運転モードが運手停止モードである場合、調湿装置４は、送風機４４、除湿部４６、及び加湿部４７が動作していない状態となる。運転モードが除湿モードである場合、調湿装置４は除湿運転を実行する。この場合、制御部４０３は、送風機４４、及び除湿部４６を動作させる。運転モードが加湿モードである場合、調湿装置４は加湿運転を実行する。この場合、制御部４０３は、送風機４４、及び加湿部４７を動作させる。
【０１５４】
より詳しくは、調湿装置４が除湿運転中に、タイマ４０２のカウンタ値が蒸気排出タイミングに達すると、制御部４０３は、除湿量を増加させる。具体的には、制御部４０３は、図２を参照して説明した圧縮機の回転速度を制御して、冷媒の送出量を制御することにより、除湿量を調整する。また、調湿装置４が加湿運転中に、タイマ４０２のカウンタ値が蒸気排出タイミングに達すると、制御部４０３は、加湿量を低減させる。具体的には、制御部４０３は、図２を参照して説明した加湿部モータ４７２を制御して、加湿量を調整する。また、運転モードが運手停止モードである場合に、タイマ４０２のカウンタ値が蒸気排出タイミングに達すると、制御部４０３は、調湿装置４を除湿運転させる。
【０１５５】
続いて図１６及び図１７を参照して、調湿装置４の動作を説明する。図１７は、本実施形態に係る調湿装置４の動作を示すフローチャートである。詳しくは、図１７は、調湿装置４の制御部４０３によって実行される処理を示す。図１７に示す処理は、受信部４０１が調理レシピに属する情報（蒸気排出タイミング情報）を受信すると開始される。
【０１５６】
図１７に示すように、受信部４０１が蒸気排出タイミング情報を受信すると、制御部４０３は、受信部４０１が受信した蒸気排出タイミング情報を記憶して（ステップＳ５１）、タイマ４０２に計時動作を開始させる（ステップＳ５２）。
【０１５７】
制御部４０３は、タイマ４０２に計時動作を開始させると、タイマ４０２のカウンタ値が蒸気排出タイミングに達したか否かを判定する（ステップＳ５３）。
【０１５８】
制御部４０３は、タイマ４０２のカウンタ値が蒸気排出タイミングに達していないと判定すると（ステップＳ５３のＮｏ）、再度、タイマ４０２のカウンタ値が蒸気排出タイミングに達したか否かを判定する（ステップＳ５３）。
【０１５９】
制御部４０３は、タイマ４０２のカウンタ値が蒸気排出タイミングに達したと判定すると（ステップＳ５３のＹｅｓ）、加湿量又は除湿量を調整する（ステップＳ５４）。
【０１６０】
具体的には、調湿装置４が加湿運転している場合、制御部４０３は、加湿部モータ４７２の回転速度を調整して、加湿量を低減させる。調湿装置４が除湿運転している場合、制御部４０３は、圧縮機の回転速度を調整して、除湿量を増加させる。また、調湿装置４が加湿運転も除湿運転もしていない場合、制御部４０３は、送風機４４及び除湿部４６を作動させて、調湿装置４に除湿運転を実行させる。
【０１６１】
制御部４０３は、加湿量又は除湿量を調整すると、タイマ４０２による計時動作を終了させて（ステップＳ５５）、図１７に示す処理を終了する。
【０１６２】
以上、図１６及び図１７を参照して調湿装置４の動作を説明した。本実施形態によれば、調理装置２から蒸気が排出されても、空気中の水分量の増加を抑制することができる。
【０１６３】
なお、本実施形態の調湿装置４は、冷凍サイクルによって除湿を行う構成を備えたが、調湿装置４は、空気中の水分を吸着する乾燥剤を用いて除湿を行う除湿部を備えてもよい。
【０１６４】
また、本実施形態の調湿装置４は、蒸気排出タイミングで加湿量又は除湿量を調整したが、調湿装置４は、蒸気排出タイミングよりも所定の時間前のタイミングで加湿量又は除湿量を調整してもよい。
【０１６５】
また、本実施形態の空気環境調整システム１は、調湿装置４を備えたが、空気環境調整システム１は、除湿装置と加湿装置とのうちの少なくとも一方を備えてもよい。
【０１６６】
また、本実施形態の調湿装置４は、蒸気排出タイミングに応じて加湿量又は除湿量を調整したが、調湿装置４は、調理終了タイミング情報に基づいて、加湿量又は除湿量を調整してもよい。具体的には、調湿装置４は、調理終了タイミング又は調理終了タイミングよりも所定の時間前のタイミングで加湿量又は除湿量を調整してもよい。あるいは、調湿装置４は、扉開情報に基づいて、加湿量又は除湿量を調整してもよい。具体的には、調湿装置４は、扉開情報を受信した際に、加湿量又は除湿量を調整してもよい。
【０１６７】
また、本実施形態の調湿装置４は、蒸気排出タイミングに応じて加湿量又は除湿量を調整したが、調湿装置４は、調理装置２から排出される蒸気の量の変化に応じて加湿量又は除湿量を調整してもよい。
【０１６８】
具体的には、調理装置２の制御部２０１が、調理レシピごとに、蒸気量増加タイミング情報と、蒸気量減少タイミング情報とを記憶し、送信部２０３を介して、調湿装置４に蒸気量増加タイミング情報及び蒸気量減少タイミング情報を送信する。
【０１６９】
蒸気量増加タイミング情報は、排気ダクト２８から排気される蒸気の量が増加するタイミングを示す。あるいは、蒸気量増加タイミング情報は、排気ダクト２８からの蒸気の排気が開始されるタイミングを示す。蒸気量減少タイミング情報は、排気ダクト２８から排気される蒸気の量が減少するタイミングを示す。あるいは、蒸気量減少タイミング情報は、排気ダクト２８から蒸気が排気されなくなるタイミングを示す。
【０１７０】
調湿装置４の制御部４０３は、受信部４０１が受信した蒸気量増加タイミング情報及び蒸気量減少タイミング情報に基づいて、加湿量又は除湿量を調整する。詳しくは、調湿装置４の制御部４０３は、蒸気量増加タイミング情報が示すタイミングに応じて、加湿量を低減させるか、除湿量を増加させる。また、調湿装置４の制御部４０３は、蒸気量減少タイミング情報が示すタイミングに応じて、加湿量を増加させるか、除湿量を低減させる。
【０１７１】
続いて図１８〜図２０を参照して、空気調和装置５を説明する。図１８は、本実施形態に係る空気調和装置５を示す斜視図である。空気調和装置５は、暖められた空気を送風する機能と、冷やされた空気を送風する機能とを有する。本実施形態において、調整空気は、暖められた空気と、冷やされた空気とを含む。
【０１７２】
図１８に示すように、空気調和装置５は、室内機５１と、室外機５２とを備える。室内機５１は室内に設置される。室外機５２は、屋外に設置される。室内機５１は、筐体５３を備える。筐体５３は、吸込口５４と、吹出口５５とを有する。吸込口５４は、筐体５３の上面に形成されており、吹出口５５は、筐体５３の前面下部に形成されている。筐体５３の内部には、吸込口５４と吹出口５５とを連通させる空気通路が形成されている。
【０１７３】
続いて図１９を参照して、空気調和装置５を更に説明する。図１９は、本実施形態に係る空気調和装置５の構成を示すブロック図である。図１９に示すように、空気調和装置５は、圧縮機５０１と、切換弁５０２と、受信部５０３と、タイマ５０４と、制御部５０５とを更に備える。
【０１７４】
なお、空気調和装置５は、一般的な空気調和装置と同様に、圧縮機５０１及び切換弁５０２以外にも、室内熱交換と、室内ファンと、室外熱交換器と、膨張弁とを備える。具体的には、図１を参照して説明した室内機５１が、室内熱交換と、室内ファンとを備える。また、図１を参照して説明した室外機５２が、室外熱交換器と、膨張弁と、圧縮機５０１と、切換弁５０２とを備える。室内熱交換、室内ファン、室外熱交換器、膨張弁、圧縮機５０１、及び切換弁５０２は、調整空気生成部を構成する。
【０１７５】
圧縮機５０１は、冷媒を圧縮する。切換弁５０２は、冷媒サイクルを、冷房運転サイクルと、暖房運転サイクルとの間で切り替える。具体的には、切換弁５０２は、冷房運転時に、圧縮機５０１によって圧縮された冷媒を、室外熱交換器に送る。また、切換弁５０２は、暖房運転時に、圧縮機５０１によって圧縮された冷媒を、室内熱交換器に送る。したがって、冷房運転サイクルでは、圧縮機５０１、切換弁５０２、室外熱交換器（凝縮器）、膨張弁、室内熱交換器（蒸発器）、切換弁５０２、圧縮機５０１の順に冷媒が循環する。この結果、室内熱交換器で吸収した室内の熱が室外熱交換器で室外に放出される。また、暖房運転サイクルでは、圧縮機５０１、切換弁５０２、室内熱交換器（凝縮器）、膨張弁、室外熱交換器（蒸発器）、切換弁５０２、圧縮機５０１の順に冷媒が循環する。この結果、室外熱交換器で吸収した室外の熱が室内熱交換器で室内に放出される。
【０１７６】
受信部５０３は、例えばＬＡＮボード又は無線ＬＡＮボードを有する。受信部５０３は、インターネット回線に接続し、クラウドサーバーのような外部のサーバーを介して、図１〜図４を参照して説明した調理装置２と通信可能に接続する。受信部５０３は、調理装置２から調理レシピに属する情報を受信する。本実施形態において、受信部５０３は、熱発生タイミング情報を受信する。
【０１７７】
タイマ５０４は、受信部５０３が熱発生タイミング情報（調理レシピに属する情報）を受信すると、計時を開始する。
【０１７８】
制御部５０５は、室内機用制御部と、室外機用制御部とを含む。室内機用制御部と室外機用制御部とは互いに通信可能に接続されている。室内機用制御部は、室内機５１（図１）の各部の動作を制御する。室外機用制御部は、室内機用制御部から送信される指令信号に応じて、室外機５２（図２）の各部の動作を制御する。本実施形態の室内機用制御部は、受信部５０３が受信した熱発生タイミング情報に基づいて、室外機用制御部に送信する指令信号を生成する。
【０１７９】
室内機用制御部及び室外機用制御部はそれぞれ、例えばＣＰＵ又はＭＰＵのようなプロセッサを備える。また、室内機用制御部及び室外機用制御部はそれぞれ、制御プログラムを記憶する記憶部を備える。記憶部は、例えばＲＡＭ、及びＲＯＭのような半導体メモリを有する。
【０１８０】
室内機用制御部のプロセッサは、記憶部に記憶された制御プログラムを実行して、室内機５１（図１）の各部の動作を制御する。室外機用制御部のプロセッサは、記憶部に記憶された制御プログラムを実行して、室外機５２（図１）の各部の動作を制御する。したがって、室内機用制御部のプロセッサは、タイマ５０４を制御する。また、室内機用制御部のプロセッサは、受信部５０３が受信した情報を記憶部に記憶させる。室外機用制御部のプロセッサは、圧縮機５０１及び切換弁５０２を制御する。室内機用制御部及び室外機用制御部の各々は、例えばマイクロコンピュータである。
【０１８１】
本実施形態において、制御部５０５は、受信部５０３が熱発生タイミング情報を受信すると、記憶部に熱発生タイミング情報を記憶させて、タイマ５０４を作動させる。また、制御部５０５は、記憶部に記憶した熱発生タイミング情報に基づいて、圧縮機５０１の動作を制御する。
【０１８２】
詳しくは、空気調和装置５は、複数の運転モードを有する。具体的には、空気調和装置５は、運転停止モード、暖房モード、及び冷房モードを有する。運転モードが運手停止モードである場合、空気調和装置５は、冷房運転も暖房運転も実行していない状態となる。換言すると、空気調和装置５は、室内ファン、室外ファン、及び圧縮機５０１が動作していない状態となる。運転モードが暖房モードである場合、空気調和装置５は暖房運転を実行する。この場合、制御部５０５は、室内ファン、室外ファン、及び圧縮機５０１を動作させる。また、制御部５０５は、圧縮機５０１によって圧縮された冷媒が室内熱交換器に送られるように切換弁５０２を制御する。運転モードが冷房モードである場合、調湿装置４は冷房運転を実行する。この場合、制御部５０５は、室内ファン、室外ファン、及び圧縮機５０１を動作させる。また、制御部５０５は、圧縮機５０１によって圧縮された冷媒が室外熱交換器に送られるように切換弁５０２を制御する。
【０１８３】
より詳しくは、空気調和装置５が暖房運転中に、タイマ５０４のカウンタ値が熱発生タイミングに達した場合、制御部５０５は、暖房温度を下げる。具体的には、制御部５０５は、圧縮機５０１の回転数を制御して、暖房温度を低下させる。暖房温度は、暖房運転時に吹出口５５（図１）から送出される空気の温度を示す。また、空気調和装置５が冷房運転中に、タイマ５０４のカウンタ値が熱発生タイミングに達した場合、制御部５０５は、冷房温度を下げる。具体的には、制御部５０５は、圧縮機５０１の回転数を制御して、冷房温度を低下させる。冷房温度は、冷房運転時に吹出口５５（図１）から送出される空気の温度を示す。また、運転モードが運手停止モードである場合に、タイマ５０４のカウンタ値が熱発生タイミングに達すると、制御部５０５は、空気調和装置５を冷房運転させる。
【０１８４】
続いて図１９及び図２０を参照して、空気調和装置５の動作を説明する。図２０は、本実施形態に係る空気調和装置５の動作を示すフローチャートである。詳しくは、図２０は、空気調和装置５の制御部５０５によって実行される処理を示す。図２０に示す処理は、受信部５０３が調理レシピに属する情報（熱発生タイミング情報）を受信すると開始される。
【０１８５】
図２０に示すように、受信部５０３が熱発生タイミング情報を受信すると、制御部５０５は、受信部５０３が受信した熱発生タイミング情報を記憶して（ステップＳ６１）、タイマ５０４に計時動作を開始させる（ステップＳ６２）。
【０１８６】
制御部５０５は、タイマ５０４に計時動作を開始させると、タイマ５０４のカウンタ値が熱発生タイミングに達したか否かを判定する（ステップＳ６３）。
【０１８７】
制御部５０５は、タイマ５０４のカウンタ値が熱発生タイミングに達していないと判定すると（ステップＳ６３のＮｏ）、再度、タイマ５０４のカウンタ値が熱発生タイミングに達したか否かを判定する（ステップＳ６３）。
【０１８８】
制御部５０５は、タイマ５０４のカウンタ値が熱発生タイミングに達したと判定すると（ステップＳ６３のＹｅｓ）、暖房温度又は冷房温度を調整する（ステップＳ６４）。
【０１８９】
具体的には、空気調和装置５が暖房運転している場合、制御部５０５は、圧縮機５０１の回転速度を調整して、暖房温度を下げる。空気調和装置５が冷房運転している場合、制御部５０５は、圧縮機５０１の回転速度を調整して、冷房温度を下げる。空気調和装置５が暖房運転も冷房運転もしていない場合、制御部５０５は、室内ファン、室外ファン、及び圧縮機５０１を作動させて、空気調和装置５に冷房運転を実行させる。
【０１９０】
制御部５０５は、暖房温度又は冷房温度を調整すると、タイマ５０４による計時動作を終了させて（ステップＳ６５）、図２０に示す処理を終了する。
【０１９１】
以上、図１９及び図２０を参照して空気調和装置５の動作を説明した。本実施形態によれば、調理装置２によって食材Ｆが加熱されて、調理装置２の周囲の温度が上昇する際に、空気調和装置５から送風される空気の温度を下げることができる。
【０１９２】
なお、本実施形態では、熱発生タイミングで暖房温度又は冷房温度を調整したが、熱発生タイミングよりも所定の時間前のタイミングで暖房温度又は冷房温度を調整してもよい。
【０１９３】
また、本実施形態の空気調和装置５は、熱発生タイミング情報を用いて暖房温度又は冷房温度を調整したが、空気調和装置５は、蒸気排出タイミング情報を用いて暖房温度又は冷房温度を調整してもよい。
【０１９４】
また、本実施形態の空気環境調整システム１は、空気調和装置５を備えたが、空気環境調整システム１は、冷房装置と暖房装置とのうちの少なくとも一方を備えてもよい。
【０１９５】
また、本実施形態の空気調和装置５は、熱発生タイミングに応じて暖房温度又は冷房温度を調整したが、空気調和装置５は、調理終了タイミング情報に基づいて、暖房温度又は冷房温度を調整してもよい。具体的には、空気調和装置５は、調理終了タイミング又は調理終了タイミングよりも所定の時間前のタイミングで暖房温度又は冷房温度を調整してもよい。あるいは、空気調和装置５は、扉開情報に基づいて、暖房温度又は冷房温度を調整してもよい。具体的には、空気調和装置５は、扉開情報を受信した際に、暖房温度又は冷房温度を調整してもよい。
【０１９６】
また、本実施形態の空気調和装置５は、熱発生タイミングに応じて暖房温度又は冷房温度を調整したが、空気調和装置５は、食材Ｆから発生する熱の大きさ（熱量）の変化に応じて暖房温度又は冷房温度を調整してもよい。
【０１９７】
具体的には、調理装置２の制御部２０１が、調理レシピごとに、熱量増加タイミング情報と、熱量減少タイミング情報とを記憶し、送信部２０３を介して、空気調和装置５に熱量増加タイミング情報及び熱量減少タイミング情報を送信する。
【０１９８】
熱量増加タイミング情報は、食材Ｆから発生する熱の熱量が増加するタイミングを示す。あるいは、熱量増加タイミング情報は、食材Ｆからの熱の発生が開始するタイミングを示す。熱量減少タイミング情報は、食材Ｆから発生する熱の熱量が減少するタイミングを示す。あるいは、熱量減少タイミング情報は、食材Ｆから熱が発生しなくなるタイミングを示す。
【０１９９】
空気調和装置５の制御部５０５は、受信部５０３が受信した熱量増加タイミング情報及び熱量減少タイミング情報に基づいて、暖房温度又は冷房温度を調整する。詳しくは、空気調和装置５の制御部５０５は、熱量増加タイミング情報が示すタイミングに応じて暖房温度又は冷房温度を下げる。また、空気調和装置５の制御部５０５は、熱量減少タイミング情報が示すタイミングに応じて暖房温度又は冷房温度を上げる。
【０２００】
以上、図面（図１〜図２０）を参照して本発明の実施形態について説明した。ただし、本発明は、上記の実施形態に限られるものではなく、その要旨を逸脱しない範囲で種々の態様において実施できる。また、上記の実施形態に開示される複数の構成要素及び複数の処理は適宜改変可能である。例えば、ある実施形態に示される構成要素のうちのある構成要素を別の実施形態の構成要素に追加してもよく、又は、ある実施形態に示される構成要素のうちのいくつかの構成要素を実施形態から削除してもよい。また、ある実施形態に示される処理のうちのある処理を別の実施形態の処理に追加してもよく、又は、ある実施形態に示される処理のうちのいくつかの処理を実施形態から削除してもよい。
【０２０１】
例えば、図１２に示す空気環境調整システム１は、調理装置２、空気清浄装置３（殺菌装置）、調湿装置４及び空気調和装置５を備えたが、空気環境調整システム１は、消臭装置を更に備えてもよい。
【０２０２】
また、本発明による実施形態では、調理装置２が、空気清浄装置３、調湿装置４及び空気調和装置５とインターネット回線を介して通信可能に接続されたが、調理装置２は、空気清浄装置３、調湿装置４及び空気調和装置５と近距離無線通信方式によって通信可能に接続されてもよい。あるいは、調理装置２は、空気清浄装置３、調湿装置４及び空気調和装置５とＬＡＮケーブルを介して直接接続されてもよい。
【０２０３】
また、本発明による実施形態では、ボタン群２７に含まれるスタートキーをユーザが押下することにより調理装置２が調理を開始する構成を説明したが、調理装置２は予約機能を有してもよい。この場合、調理装置２は、現在時刻が予約時刻に達すると調理を開始する。予約時刻は、ユーザが操作パネル２５を操作して設定する。
【０２０４】
また、本発明による実施形態において調理装置２はスチームオーブンレンジであったが、調理装置２は、スチームオーブンレンジに限定されない。調理装置２は、食材を調理する電子機器であればよく、例えば、オーブンレンジ、電子レンジ、オーブントースター、又は炊飯器であり得る。
【０２０５】
また、本発明による実施形態において、天井設置型の空気清浄装置を説明したが、空気清浄装置は床置き型であってもよい。以下、床置き型の空気清浄装置３Ａについて図２１及び図２３を参照して説明する。
【０２０６】
図２１は、他の実施形態に係る空気清浄装置３Ａを示す斜視図である。図２１に示すように、空気清浄装置３Ａは、本体ケース６１と、前パネル６２と、上面パネル６３とを備える。本体ケース６１、前パネル６２及び上面パネル６３は、ハウジングを構成する。上面パネル６３は吹出口６４を有し、本体ケース６１と前パネル６２の隙間に吸込口６５が形成される。
【０２０７】
図２２は、他の実施形態に係る空気清浄装置３Ａの構成を示す図である。図２２に示すように、空気清浄装置３Ａは、集塵フィルタ６０１と、脱臭フィルタ６０２と、送風機６０３と、ダクト６０４と、イオン発生器３０２とを備える。
【０２０８】
送風機６０３が駆動すると、吸込口６５からハウジング内に空気が吸い込まれる。吸込口６５から吸い込まれた空気は、集塵フィルタ６０１及び脱臭フィルタ６０２を通過して、送風機６０３の入口から、送風機６０３内部に吸い込まれる。ダクト６０４の一端は、送風機６０３の出口と接続し、ダクト６０４の他端は吹出口６４と接続している。送風機６０３内部に吸い込まれた空気は、ダクト６０４を通過して、吸込口６５から空気清浄装置３Ａの外部に吹き出される。イオン発生器３０２はダクト６０４内に配置されて、ダクト６０４を流れる空気中に、プラスイオンＨ+（Ｈ2Ｏ）ｍ及びマイナスイオンＯ2-（Ｈ2Ｏ）ｎを放出する。
【産業上の利用可能性】
【０２０９】
本発明は、調理装置、空気清浄装置、除湿装置、加湿装置、及び空気調和装置のような家電に有用である。
【符号の説明】
【０２１０】
１        空気環境調整システム
２        調理装置
３        空気清浄装置
３Ａ      空気清浄装置
４        調湿装置
５        空気調和装置
２１      ケーシング
２２      扉
２８      排気ダクト
４４      送風機
４６      除湿部
４７      加湿部
２０１    制御部
２０２    扉開閉検知センサ
２０３    送信部
２１０    加熱庫
２３０    蒸気発生装置
２６０    循環ユニット
２７０    蒸気ダクト
２８０    過熱蒸気生成ヒータ
２９０    マグネトロン
２９１    回転アンテナ
２９２    回転アンテナ用モータ
３０１    送風機
３０２    イオン発生器
３０４    受信部
３０６    制御部
４０１    受信部
４０３    制御部
５０１    圧縮機
５０２    切換弁
５０３    受信部
５０５    制御部
６０３    送風機
Ｆ        食材
【図１】
2019190738.tif 000003
【図２】
2019190738.tif 000004
【図３】
2019190738.tif 000005
【図４】
2019190738.tif 000006
【図５】
2019190738.tif 000007
【図６】
2019190738.tif 000008
【図７】
2019190738.tif 000009
【図８】
2019190738.tif 000010
【図９】
2019190738.tif 000011
【図１０】
2019190738.tif 000012
【図１１】
2019190738.tif 000013
【図１２】
2019190738.tif 000014
【図１３】
2019190738.tif 000015
【図１４】
2019190738.tif 000016
【図１５】
2019190738.tif 000017
【図１６】
2019190738.tif 000018
【図１７】
2019190738.tif 000019
【図１８】
2019190738.tif 000020
【図１９】
2019190738.tif 000021
【図２０】
2019190738.tif 000022
【図２１】
2019190738.tif 000023
【図２２】
2019190738.tif 000024